(57)【要約】【課題】  手間がかからず簡単に箱の組立てができ、また容易に解体処理することができ、輸送上及び保管上において十分に収容物を保護し、且つリサイクルし易い安価な組立式箱の提供。【解決手段】  左側板は、左外側板１３３、左上縁板１３４及び左内側板１３５とをもって構成され、右側板は、右外側板１３９、右上縁板１４０及び右内側板１４１とをもって構成され、左補強側板１１０，右補強側板１１１は、左外側板１３３及び右外側板１３９の背側縁に折り目を介して連続した左補強外側板１４４，右補強外側板１４７と、左補強外側板１４４，右補強外側板１４７の上縁部に一定幅を有する左補強上縁板１４５，右補強上縁板１４８を介して連続するとともに、左内側板及び右内側板の背側縁に折り目を介して連続した補強内側板１４６，１４９とをもって構成され、左右内側板と左右補強内側板との間の境界部には、折り目を一部残して形成された折曲用窓１５６を備える。【選択図】  図３
2005187010.tif 000002
【特許請求の範囲】
【請求項１】
平板状の底板と、該底板の周縁に折り目を介して一体に形成された前側板、背側板、左側板及び右側板と、該左側板の背側縁に折り目を介して一体に形成された左補強側板と、前記右側板の背側縁に折り目を介して一体に形成された右補強側板と、前記背側板の前記底板とは反対側の縁部に折り目を介して一体に形成された蓋板とを備え、
前記左側板は、前記底板と折り目を介して連続した左外側板と、その底板とは反対側の縁部に一定幅を有する左上縁板を介して一体に形成された左内側板とをもって構成され、前記左上縁板の両縁部を折り目として折り曲げることにより前記左内側板を左外側板に重ね合わせ、
前記右側板は、前記底板と折り目を介して連続した右外側板と、その底板とは反対側の縁部に一定幅を有する右上縁板を介して一体に形成された右内側板とをもって構成され、前記右上縁板の両縁部を折り目として折り曲げることにより前記右内側板を右外側板に重ね合わせ、
前記左補強側板は、前記左外側板の背側縁に折り目を介して連続した左補強外側板と、該左補強外側板の上縁部に一定幅を有する左補強上縁板を介して連続するとともに、前記左内側板の背側縁に折り目を介して連続した左補強内側板とをもって構成され、前記左補強上縁板の両縁部を折り目として折り曲げることにより前記左補強内側板を左補強外側板に重ね合わせ、
前記右補強側板は、前記右外側板の背側縁に折り目を介して連続した右補強外側板と、該右補強外側板の上縁部に一定幅を有する右補強上縁板を介して連続するとともに、前記右内側板の背側縁に折り目を介して連続した右補強内側板とをもって構成され、前記右補強上縁板の両縁部を折り目として折り曲げることにより前記右補強内側板を右補強外側板に重ね合わせ、
前記左内側板と左補強内側板との間及び前記右内側板と右補強内側板との間の境界部には、前記左内側板と左補強内側板との間及び前記右内側板と右補強内側板との間に介在される折り目を一部残して形成された折曲用窓を備え、前記左側板及び右側板を前記底板に対して立ち上げるとともに前記左補強側板及び右補強側板を折り目より内側に折り曲げて、前記側板とは反対側の端部を互いに係合させて箱状に組立てることを特徴としてなる組立式箱。
【請求項２】
左上縁板と左補強上縁板との間及び右上縁板と右補強上縁板との間の境界部に折曲用切欠部を備えた請求項１に記載の組立式箱。
【請求項３】
前側板は、底板と折り目を介して連続した前側外側板と、該外側板の底板とは反対側の縁部に一定幅を有する前側上縁板を介して一体に形成された前内側板とをもって構成され、前記前側上縁板の両縁部を折り目として折り曲げることにより前記前内側板を前側外側板に重ね合わせた請求項１又は２に記載の組立式箱。
【請求項４】
前側板と左側板の各側辺間を連結する前左側板間連結板と、前側板と右側板の各側辺間を連結する前右側板間連結板とを備えるとともに、前内側板の両側縁基端側より先端縁側に斜めに向けた折り目を形成して該折り目より折り畳まれる逃がし片部を備え、
前記前左側板間連結板及び前右側板間連結板は、前記底板の隅より斜めに向けた折り目を介して固定部と可動部とを備え、該固定部を前記前側板に固定し、
前記左側板及び右側板をそれぞれ底板に重ねて折り畳んだ状態で全体形状を平板状となし、各側板を前記底板に対して立ち上げ、前記前内側板の側縁部を左側板及び右側板の内面に係合させて箱状に組み立てられるようにした請求項３に記載の組立式箱。
【請求項５】
前左側板間連結板及び前右側板間連結板の固定部は、前内側板に押さえ込まれることによって、前側板に固定されるようにした請求項４に記載の組立式箱。
【発明の詳細な説明】
【技術分野】
【０００１】
本発明は、主に青果や花等の梱包に使用される額縁型の組立式箱に関する。
【背景技術】
【０００２】
従来、りんご等の青果や花等の梱包には、強度的に優れた額縁型の組立式箱が広く使用されている。
【０００３】
この組立式箱は、例えば図７に示すように、平板状の底板１と、底板１の四辺より折り目を介して一体に形成された前側板２、背側板３、左側板４及び右側板５とを備え、各側板２，３，４，５は、それぞれ底板１と連続した外側板と、外側板の底板とは反対側の縁部に一定幅を有する上縁板を介して連続した内側板とをもって構成され、上縁板の両縁部を折り目として内側板を外側板を重ね合わせることにより、底板の四辺より立ち上げた額縁状の側壁が形成されるようになっている。
【０００４】
また、図８に示すように、組立式箱は、背側板３を単板で形成し、その上縁に折り目を介して蓋板６を連続して備えることによって、一枚の板材をもって蓋を有する額縁型の組立式箱を形成することができる。
【発明の開示】
【発明が解決しようとする課題】
【０００５】
しかし、上述の図７の如き従来例では、蓋を設ける場合、四辺に額縁状の側板を有するため蓋板を一体に備えることができず、蓋を箱本体とは別個の部品で備える必要があり、部品点数が増加してコストが増大するという問題がある。
【０００６】
一方、図８に示す従来例では、蓋板を背側板と連続して一体に備えることによって、背側部に額縁状の側壁を備えることができず、その背面部の強度が低下し、輸送途中や保管中に箱を多段積みにすること等によって潰れ易く、破損し易いという問題があった。
【０００７】
また、これらの組立式箱は、組立てや分解に手間がかかり、煩わしいとともに作業コストが嵩むという問題もある。
【０００８】
そこで本発明は、上述の従来技術の問題を鑑み、手間がかからず簡単に箱の組立て及び解体ができ、輸送上及び保管上において圧縮強度、耐衝撃性が倍化強化されて十分に収容物を保護することができる安価な組立式箱の提供を目的とする。
【課題を解決するための手段】
【０００９】
上述の如き従来の問題を解決し、所期の目的を達成するための請求項１に記載の発明は、平板状の底板と、該底板の周縁に折り目を介して一体に形成された前側板、背側板、左側板及び右側板と、該左側板の背側縁に折り目を介して一体に形成された左補強側板と、前記右側板の背側縁に折り目を介して一体に形成された右補強側板と、前記背側板の前記底板とは反対側の縁部に折り目を介して一体に形成された蓋板とを備え、
前記左側板は、前記底板と折り目を介して連続した左外側板と、その底板とは反対側の縁部に一定幅を有する左上縁板を介して一体に形成された左内側板とをもって構成され、前記左上縁板の両縁部を折り目として折り曲げることにより前記左内側板を左外側板に重ね合わせ、
前記右側板は、前記底板と折り目を介して連続した右外側板と、その底板とは反対側の縁部に一定幅を有する右上縁板を介して一体に形成された右内側板とをもって構成され、前記右上縁板の両縁部を折り目として折り曲げることにより前記右内側板を右外側板に重ね合わせ、
前記左補強側板は、前記左外側板の背側縁に折り目を介して連続した左補強外側板と、該左補強外側板の上縁部に一定幅を有する左補強上縁板を介して連続するとともに、前記左内側板の背側縁に折り目を介して連続した左補強内側板とをもって構成され、前記左補強上縁板の両縁部を折り目として折り曲げることにより前記左補強内側板を左補強外側板に重ね合わせ、
前記右補強側板は、前記右外側板の背側縁に折り目を介して連続した右補強外側板と、該右補強外側板の上縁部に一定幅を有する右補強上縁板を介して連続するとともに、前記右内側板の背側縁に折り目を介して連続した右補強内側板とをもって構成され、前記右補強上縁板の両縁部を折り目として折り曲げることにより前記右補強内側板を右補強外側板に重ね合わせ、
前記左内側板と左補強内側板との間及び前記右内側板と右補強内側板との間の境界部には、前記左内側板と左補強内側板との間及び前記右内側板と右補強内側板との間に介在される折り目を一部残して形成された折曲用窓を備え、前記左側板及び右側板を前記底板に対して立ち上げるとともに前記左補強側板及び右補強側板を折り目より内側に折り曲げて、前記側板とは反対側の端部を互いに係合させて箱状に組立てる組立式箱であることを特徴とする。
【００１０】
請求項２に記載の発明は、請求項１の構成に加え、左上縁板と左補強上縁板との間及び右上縁板と右補強上縁板との間の境界部に折曲用切欠部を備えたことを特徴とする。
【００１１】
請求項３に記載の発明は、請求項１又は２の構成に加え、前側板は、底板と折り目を介して連続した前側外側板と、該外側板の底板とは反対側の縁部に一定幅を有する前側上縁板を介して一体に形成された前内側板とをもって構成され、前記前側上縁板の両縁部を折り目として折り曲げることにより前記前内側板を前側外側板に重ね合わせたことを特徴とする。
【００１２】
請求項４に記載の発明は、請求項３の構成に加え、前側板と左側板の各側辺間を連結する前左側板間連結板と、前側板と右側板の各側辺間を連結する前右側板間連結板とを備えるとともに、前内側板の両側縁基端側より先端縁側に斜めに向けた折り目を形成して該折り目より折り畳まれる逃がし片部を備え、
前記前左側板間連結板及び前右側板間連結板は、前記底板の隅より斜めに向けて折り目を介して固定部と可動部とを備え、前記固定部を前記前外側板の内面に重ね合わせて貼着し、
前記左側板及び右側板をそれぞれ底板に重ねて折り畳んだ状態で全体形状を平板状となし、各側板を前記底板に対して立ち上げ、前記前内側板の側縁部を左側板及び右側板の内面に係合させて箱状に組み立てられるようにしたことを特徴とする。
【００１３】
請求項５に記載の発明は、請求項４の構成に加え、前左側板間連結板及び前右側板間連結板の固定部は、前内側板に押さえ込まれることによって、前側板に固定されるようにしたことを特徴とする。
【発明の効果】
【００１４】
本発明に係る組立式箱は、前記左内側板と左補強内側板との間及び前記右内側板と右補強内側板との間の境界部に、前記左内側板と左補強内側板との間及び前記右内側板と右補強内側板との間に介在される折り目を一部残して形成された折曲用窓を備えたことによって、額縁状に形成した左補強側板及び右補強板を好適に内側に折り曲げることができるとともに、左内側板と左補強内側板、右内側板と右補強内側板がそれぞれ一部連続しているので左補強内側板及び右補強内側板の下縁部が浮き上がるのを抑えることができ、好適に底板の四辺より立ち上げた額縁状の側壁を備えることできる。
【００１５】
従って、本発明に係る組立式箱は、底板の四辺より立ち上げた額縁状の側壁と、箱の上面を覆う蓋板とを一枚の紙板材をもって両方備えることができ、圧縮強度、耐衝撃性が倍化強化され、輸送上又は保管上の安全性が向上するとともに、部品点数を減らすことによってコストを低減することができ、四方を額縁状の側壁により囲むことで見栄えも向上する。
【００１６】
また、左上縁板と左補強上縁板との間及び右上縁板と右補強上縁板との間の境界部に折曲用切欠部を備えたことによって、より好適に左補強側板及び右補強側板を内側に折り曲げることができる。
【００１７】
請求項３に記載の如く構成することによって、簡単に短時間で箱の組立て及び分解を行うことができ、作業効率が向上し、コストを低減することができる。
【００１８】
また、前左側板間連結板及び前右側板間連結板の固定部を前内側板に押さえ込まれることによって、前側板に固定されるようにしたことによって、接着剤を使用せずに固定部を固定でき、接着工程が省かれて作業効率が向上しコストが低減される。
【発明を実施するための最良の形態】
【００１９】
次に、本発明に係る組立式箱に関し図１〜図６について説明する。
【００２０】
組立式箱１００は、段ボール紙又はボール紙等からなる板状材を図３に示す展開図のように打ち抜き、それを折曲加工することにより形成されている。
【００２１】
この組立式箱１００は、平板状の底板１０１と、底板１０１の前背左右の各縁部にそれぞれ折り目１０２〜１０５を介して一体に形成された前側板１０６、背側板１０７、左側板１０８及び右側板１０９と、左側板１０８の背側縁に折り目を介して一体に形成された左補強側板１１０と、右側板１０９の背側縁に折り目を介して一体に形成された右補強側板１１１と、背側板１０７の折り目１０３とは反対側の縁部に折り目１１２を介して一体に形成された蓋板１１３とを備えている。
【００２２】
また、この組立式箱１００は、前側板１０６と左側板１０８の各側辺間を連結する前左側板間連結板１１４と、前側板１０６と右側板１０９の各側辺間を連結する前右側板間連結板１１５とを備えている。
【００２３】
前側板１０６は、底板１０１と折り目１０２を介して連続した前外側板１１６と、その折り目１０２とは反対側の縁部に前上縁板１１７を介して一体に形成された前内側板１１８とをもって構成され、前上縁板１１７の両縁部を折り目として折り曲げることにより、前内側板１１８を前外側板１１６に重ね合わせ、前内側板１１８の前上縁板１１７とは反対側の縁部に形成された接着片１１９を前外側板１１６の内側面に接着剤により固着させている。
【００２４】
接着片１１９は、前内側板１１８の前上縁板１１７と反対側の縁部に切れ目１２０，１２０を入れるとともに、縁部と平行に折り目１２１，１２２を設けることにより形成され、折り目１２１，１２２で折り曲げ、折り目１２１を境に縁部側のみを接着剤により前外側板１１６の内側面に固着させる。このようにすることによって、前上縁板１１７の幅が広くとも、無理なく前内側板１１８を前外側板１１６に接合することができる。
【００２５】
また、前内側板１１８には、その両側縁基端側より先端縁側に斜めに向けた折り目１２３，１２３を形成して折り目１２３より折り畳まれる逃がし片部１２４，１２４を備えている。
【００２６】
逃がし片部１２４の側縁、即ち前内側板１１８の両側縁には、左側板１０８及び右側板１０９の縁部に形成された係止凹部１２５に係合する側縁係止突起１２６が形成され、逃がし片部１２４の下縁、即ち前内側板１１８の上縁板とは反対側の縁部には、底板１０１の前側縁に形成された係止孔１２７に係合する下縁係止突起１２８が一体に形成されている。
【００２７】
また、逃がし片部１２４の中央部には、引き起こし用の指穴１２９が形成されている。
【００２８】
前上縁板１１７は、一定幅を有する細長板状に形成され、前側板１０６の上縁部を構成している。
【００２９】
この前側板１０６の上縁部、即ち前上縁板１１７には、折り目側を基端とする円弧状の切れ目を入れることにより、係止片挿入孔１３０が形成されている。
【００３０】
背側板１０７は、底板１０１と折り目１０３を介して連続して形成され、その折り目１０３とは反対側の縁部に折り目１１２を介して蓋板１１３が連続して形成されている。
【００３１】
蓋板１１３は、底板１０１と略同形の平板状に形成され、折り目１１２より折り曲げることによって、箱の上面を覆うようになっている。
【００３２】
この蓋板１１３の折り目１１２とは反対側の縁部には、折り目１３１を介して係止片挿入孔１３０に挿入され、係止される係止片１３２が一体に形成されている。
【００３３】
係止片１３２は、その基端側側縁部に係止溝を備え、この係止片１３２を前外側板１１６に沿って係止片挿入孔１３０に挿入すると、次第に狭まる円弧状の内縁が両係止溝に嵌り込み係止片１３２が抜け止されるようになっている。
【００３４】
左側板１０８は、左外側板１３３と、左上縁板１３４と、左内側板１３５とをもって構成され、左上縁板１３４の両縁部を折り目として折り曲げることにより、左内側板１３５を左外側板１３３に重ね合わせるようになっている。
【００３５】
左外側板１３３は、底板１０１と折り目１０４を介して連続して形成されている。
【００３６】
左内側板１３５の前側縁には、前内側板１１８の側縁に設けられた側縁係止突起１２６が係合されるように係合用の係止凹部１２５が設けられ、また、折り目１７１を介して挟み込み片１３６が一体に形成されている。
【００３７】
左内側板１３５の下縁、即ち左上縁板１３４とは反対側の縁部には、底板１０１の左側縁に形成された係止孔１３７に係止される係止突起１３８が形成されている。
【００３８】
左上縁板１３４は、一定幅を有する細長板状に形成され、前外側板１３３と前内側板１３５の上縁間を連結し、左側板１０８の上縁部を構成している。
【００３９】
この左上縁板１３４の背側縁部は、その外側板側より内側板側縁に向けて斜めにカットされた形状になっている。
【００４０】
右側板１０９は、右外側板１３９と、右上縁板１４０と、右内側板１４１とをもって構成され、右上縁板１４０の両縁部を折り目として折り曲げることにより、右内側板１４１を右外側板１３９に重ね合わせるようになっている。
【００４１】
右外側板１３９は、底板１０１と折り目１０５を介して連続して形成されている。
【００４２】
右内側板１４１の前側縁には、前内側板１１８の側縁に設けられた側縁係止突起１２６が係合されるように係合用の係止凹部１２５が設けられ、また、折り目１７１を介して挟み込み片１３６が一体に形成されている。
【００４３】
右内側板１４１の下縁、即ち右上縁板１４０とは反対側の縁部には、底板１０１の右側縁に形成された係止孔１４２に係止される係止突起１４３が形成されている。
【００４４】
右上縁板１４０は、一定幅を有する細長板状に形成され、右外側板１３９と右内側板１４１の上縁間を連結し、右側板１０９の上縁部を構成している。
【００４５】
この右上縁板１４０の背側縁部は、その外側板側より内側板側縁に向けて斜めにカットされた形状になっている。
【００４６】
左補強側板１１０は、左補強外側板１４４と、左補強上縁板１４５と、左補強内側板１４６とをもって構成されおり、左補強内側板１４６を左補強上縁板１４５の両側縁を折り目として折り曲げることにより左補強外側板１４４に重ね合わせるようになっている。
【００４７】
また、右補強側板１１１は、右補強外側板１４７と、右補強上縁板１４８と、右補強内側板１４９とをもって構成されており、右補強内側板１４９を右補強上縁板１４８の両側縁を折り目として折り曲げることにより右補強外側板１４７に重ね合わせるようになっている。
【００４８】
左補強外側板１４４は、左外側板１３３の背側縁にそれぞれ折り目１５０を介して連続して形成され、右補強外側板１４７は、右外側板１３９の背側縁にそれぞれ折り目１５０を介して連続して形成されている。
【００４９】
この左右両補強外側板１４４，１４７は、その折り目１５０とは反対側の端部を互いに係合させるようになっている。
【００５０】
右補強外側板１４７は、折り目１５０とは反対側の端部が延長され、左補強外側板１４４の端部と重なり合うようになっているとともに、左右両補強外側板１４４，１４７の係止側端部には、上下方向に向けた切れ目１５１，１５２がそれぞれ形成されており、この切れ目１５１，１５２同士を互いに噛み合わせることにより左右両補強外側板１４４，１４７の端部が係止されるようになっている。
【００５１】
左補強内側板１４６は、左内側板１３５の背側縁に折り目１５３を介して連続して形成され、右補強内側板１４９は、右内側板１４１の背側縁に折り目１５３を介して連続して形成されている。
【００５２】
この左補強内側板１４６及び右補強内側板１４９の下縁には、底板１０１の背側縁部に形成された係止孔１５４，１５４に係止される係止突起１５５がそれぞれ形成されている。
【００５３】
また、左内側板１３５と左補強内側板１４６との境界部には、折り目１５３の一部を残して左内側板１３５と左補強内側板１４６との間に跨って折曲用窓１５６が形成されている。即ち、左内側板１３５と左補強内側板１４６は、折り目１５３が残された下端部の一部分のみで連続している。
【００５４】
同様に、右内側板１４１と右補強内側板１４９との境界部には、折り目１５３の一部を残して右内側板１４１と右補強内側板１４９との間に跨って折曲用窓１５６が形成され、右内側板１４１と右補強内側板１４９とは、折り目１５３が残された下端部の一部分のみで連続している。
【００５５】
左補強上縁板１４５は、一定幅を有する細長板状に形成され、左補強側板１１０の上縁部を構成し、右補強上縁板１４８は、一定幅を有する細長板状に形成され、右補強側板１１１の上縁部を構成している。
【００５６】
この左右両補強上縁板１４５，１４８の左右側板側縁部は、その外側板側より内側板側縁に向けて斜めにカットされた形状になっており、左上縁板１３４と左補強上縁板１４５との間及び右上縁板１４０と右補強上縁板１４８との間の境界部に折曲用切欠部１５７が形成される。
【００５７】
また、折曲用窓１５６と折曲用切欠部１５７は連続して配置されている。
【００５８】
このように左側板１０８と左補強側板１１０との間、右側板１０９と右補強側板１１１との間の境界部にそれぞれ折曲用窓１５６及び折曲用切欠部１５７を設けることによって、図４に示すように、額縁状に形成された左右両補強側板１１０，１１１が左側板１０８又は右側板１０９の側縁と干渉することなく好適に内側に折り曲げることができるようになっている。
【００５９】
また、左内側板１３５と左補強内側板１４６、右内側板１４１と右補強内側板１４９が折り目１５３が残された下端部の一部分で連続しているので、組立てた際に、左右両補強内側板１４６，１４９は、左右両補強外側板１４４，１４７に対して浮き上がり難くなっていて、係止突起１５５がスムースに係止孔１５４に係止されるようになっている。
【００６０】
前左側板間連結板１１４及び前右側板間連結板１１５は、それぞれ底板１０１の隅より斜めに向けた折り目１５８を介して固定部１５９と可動部１６０とから構成され、それぞれ前外側板１１６と左外側板１３３の各側辺間及び前外側板１１６と右外側板１３９の各側辺間を連結している。
【００６１】
固定部１５９は、組立てた際に、前内側板１１８の逃がし片部１２４以外の部分とも重なり合うような形状に形成され、一方、可動部１６０は、前内側板１１８の逃がし片部１２４以外の部分とは重なり合わないようにカットした形状に形成されている。
【００６２】
このように固定部１５９及び可動部１６０を形成することによって、固定部１５９は、前内側板１１８によって押さえ込まれることによって、前側板１０６に対し起き上がり不能に固定され、可動部１６０は、逃がし片部１２４を立ち上げることによって、前内側板１１８に干渉されずに動作できるようになっている。
【００６３】
また、箱状に組み立てられた際に、各連結板１１４，１１５の固定部１５９と可動部１６０とが重なり合って前内側板１１８により押さえられるようになっている。
【００６４】
次に、上述した組立式箱１００の組立方法について図５、図６を参照して説明する。
【００６５】
まず、図５（ａ）〜（ｂ）に示すように、折り目１５３を介して連続した左内側板１３５及び左補強内側板１４６を左上縁板１３４及び左補強上縁板１４５の両側部を折り目として内側に折り曲げ、左内側板１３５及び左補強内側板１４６をそれぞれ左外側板１３３、左補強外側板１４４に重ね合わせ、左側板１０８及び左補強側板１１０を形成する。同様に折り目１５３を介して連続した右内側板１４１及び右補強内側板１４９を右上縁板１４０及び右補強上縁板１４８の両側縁を折り目として内側に折り曲げ、右内側板１４１及び右補強内側板１４９をそれぞれ右外側板１３９、右補強外側板１４７に重ね合わせ、右側板１０９及び補強側板１１１を形成する。
【００６６】
次に、図５（ｂ）〜（ｃ）に示すように、折り目１０４に沿って左側板１０８、左補強側板１１０及び前左側板間連結板１１４を内側に折り曲げ、左側板１０８を底板１０１に、左補強側板１１０を背側板１０７及び蓋板１１３に、前左側板間連結板１１４を前外側板１１６にそれぞれ重ねて折り畳む。その際、左内側板１３５の係止突起１３８を底板１０１の係止孔１３７に係合させる。
【００６７】
同様に、折り目１０５に沿って右側板１０９、右補強側板１１１及び前右側板間連結板１１５を内側に折り曲げ、右側板１０９を底板１０１に、右補強側板１１１を背側板１０７及び蓋板１１３に、前右側板間連結板１１５を前外側板１１６にそれぞれ重ねて折り畳む。その際、右内側板１４１の係止突起１４３を底板１０１の係止孔１４２に係合させる。
【００６８】
そして、図５（ｃ）〜（ｄ）に示すように、前内側板１１８を前上縁板１１７の両縁を折り目として折り曲げ、前外側板１１６に重ね合わせ、重なり合った前内側板１１８の接着片１１９を前外側板１１６の内側面に貼着させる。
【００６９】
このとき、前左側板間連結板１１４及び前右側板間連結板１１５の固定部１５９が前内側板１１８に押さえ込まれ、前側板１０６に対し起き上がり不能に固定される。
【００７０】
これで一次組立が終了し、組立中間部材１７０が形成され、この状態で、運搬や保管等を行えば、平板状であるので重ねても嵩張らず効率がよい。
【００７１】
次に、この組立中間部材１７０を図５（ｄ）〜図６（ｅ）に示すように、前側板１０６を立ち上げると、各連結板１１４，１１５が連動して左側板１０８及び右側板１０９も立ち上がる。このとき逃がし片部１２４，１２４を立ち上げることにより、連結板１１４，１１５が前内側板１１８に邪魔されずに好適に作動する。
【００７２】
そして、図６（ｅ）〜（ｆ）に示すように、前側板１０６、左側板１０８及び右側板１０９を底板１０１に対して立ち上げ、逃がし片部１２４，１２４を元に戻して、前内側板１１８の側縁に形成された側縁係止突起１２６，１２６を左側板１０８及び右側板１０９の係止凹部１２５，１２５に係合させ、連結板１１４，１１５の固定部１５９と可動部１６０とが重なり合った部分を、前外側板１１６と前内側板１１８との間で挟持する。
【００７３】
次に図６（ｆ）〜（ｇ）に示すように、左右両補強側板１１０，１１１を内側に折り曲げ、切れ目１５１，１５２同士を噛み合わせて左右両補強側板１１０，１１１を連結するとともに、係止突起１５５，１５５を底板１０１の係止孔１５４に係合させる。
【００７４】
このとき、左側板１０８と左補強側板１１０との間、右側板１０９と右補強側板１１１との間の境界部にそれぞれ折曲用窓１５６及び折曲用切欠部１５７を備えていることで、額縁状に形成された左右両補強側板１１０，１１１が左側板１０８又は右側板１０９の側縁と干渉することなく好適に内側に折り曲げることができるようになっている。
【００７５】
また、左内側板１３５と左補強内側板１４６、右内側板１４１と右補強内側板１４９が折り目１５３が残された下端部の一部分で連続しているので、左補強内側板１４６及び右補強内側板１４９は、それぞれ左補強外側板１４４，右補強外側板１４７に対して浮き上がり難くなっている。
【００７６】
この状態で、組立式箱１００が蓋板１１３を開いた状態に形成される。
【００７７】
そして、図６（ｇ）〜（ｈ）に示すように、折り目１０３より背側板１０７を立ち上げ、更に、折り目１１２より蓋板１１３を折り曲げ、縁部の係止片１３２を係止片挿入孔１３０に挿入し、係合させることにより閉じた状態とすることができる。
【００７８】
尚、上述の実施例では、前左側板間連結板１１４及び前右側板間連結板１１５の固定部１５９を接着剤を用いずに前内側板１１８によって押さえ込むようにした例について説明したが、固定部１５９を前外側板１１６の内面に接着するようにしてもよい。
【産業上の利用可能性】
【００７９】
この組立式箱は、青果や花等の梱包に使用するものに限らず、洋品、菓子その他全ての梱包に使用するものに適用することができる。
【図面の簡単な説明】
【００８０】
【図１】本発明に係る組立式箱を示す斜視図である。
【図２】同上の組立式箱の蓋板を開いた状態を示す背側より見た斜視図である。
【図３】同上の組立式箱の展開図である。
【図４】同上の左側板と左補強側板との境界部分を示す斜視図である。
【図５】同上の組立式箱の組立中間工程の状態を示す斜視図である。
【図６】同上の組立式箱の製箱工程の状態を示す斜視図である。
【図７】従来の額縁型組立式箱の一例を示す斜視図である。
【図８】従来の蓋付き額縁型組立式箱の一例を示す斜視図である。
【符号の説明】
【００８１】
１００  組立式箱
１０１  底板
１０２〜１０５  折り目
１０６  前側板
１０７  背側板
１０８  左側板
１０９  右側板
１１０  左補強側板
１１１  右補強側板
１１２  折り目
１１３  蓋板
１１４  前左側板間連結板
１１５  前右側板間連結板
１１６  前外側板
１１７  前上縁板
１１８  前内側板
１１９  接着片
１２０  切れ目
１２１，１２２  折り目
１２３  折り目
１２４  逃がし片部
１２５  係止凹部
１２６  側縁係止突起
１２７  係止孔
１２８  下縁係止突起
１２９  指穴
１３０  係止片挿入孔
１３１  折り目
１３２  係止片
１３３  左外側板
１３４  左上縁板
１３５  左内側板
１３６  挟み込み片
１３７  係止孔
１３８  係止突起
１３９  右外側板
１４０  右上縁板
１４１  右内側板
１４２  係止孔
１４３  係止突起
１４４  左補強外側板
１４５  左補強上縁板
１４６  左補強内側板
１４７  右補強外側板
１４８  右補強上縁板
１４９  右補強内側板
１５０  折り目
１５１，１５２  切れ目
１５３  折り目
１５４  係止孔
１５５  係止突起
１５６  折曲用窓
１５７  折曲用切欠部
１５８  折り目
１５９  固定部
１６０  可動部
１７０  組立中間部材
１７１  折り目
【図１】
2005187010.tif 000003
【図２】
2005187010.tif 000004
【図３】
2005187010.tif 000005
【図４】
2005187010.tif 000006
【図５】
2005187010.tif 000007
【図６】
2005187010.tif 000008
【図７】
2005187010.tif 000009
【図８】
2005187010.tif 000010